(57)【特許請求の範囲】
【請求項１】
機器室側から冷却空気を取入れる冷却空気取入口と、内部を流通した冷却空気を熱交換室側に排出する冷却空気排出口とを有する電装品箱を備えた室外ユニットと、この室外ユニットに連絡配管を介して接続される室内ユニットとからなる分離型空気調和機であって、室外ユニットは、機器室の側面の外側近傍に連絡配管用接手と、この接手を覆う接手カバーとを有し、前記機器室の側板は、前記接手カバーで覆われている部分に、電装品箱の前記冷却空気取入口と連通して冷却空気として外気を取入れるための外気取入口を有し、また、前記接手カバー内における外気取入口近傍には、連絡配管用接手と機器室に収納された圧縮機とを接続するガス管が、低温化した表面で外気を冷却可能に配置されていることを特徴とする分離型空気調和機。
【請求項２】
前記外気取入口にフィルタを設けたことを特徴とする請求項１記載の分離型空気調和機。
【請求項３】
前記接手カバーは連絡配管用接手と連絡配管との接続用サービス開口部を有し、接手カバー内において、連絡配管用接手を前記サービス開口部の近傍に配置し、連絡配管用接手に接続されたガス管の一方側に前記サービス開口部を配置し、連絡配管用接手に接続されたガス管の他方側の側板部分に外気取入口を配置したことを特徴とする請求項１又は２記載の分離型空気調和機。
【請求項４】
前記分離型空気調和機は、１台の室外ユニットに対し複数台の室内ユニットが接続される多室用分離型空気調和機であることを特徴とする請求項１〜３の何れか１項記載の分離型空気調和機。
【発明の詳細な説明】
【０００１】
【発明の属する技術分野】
本発明は、分離型空気調和機に関し、特に、室外ユニット内からの音漏れ対策及び室外ユニット内への異物の侵入対策に関するものである。
【０００２】
【従来の技術】
一般的に分離型空気調和機は、室外ユニットと、この室外ユニットに連絡配管を介して接続される室内ユニットとを備える。図５に示すように、この従来の室外ユニット５０は、ケーシング１の内部を仕切板２によって区画された熱交換室３に、室外熱交換器４及び室外熱交換器４の正面側に配置されて外気を送風する室外送風機５が収納されるとともに、熱交換室３の側方の機器室６には圧縮機７、膨張弁等が収納されている。また、ケーシング１の内部上方には、熱交換室３と機器室６とに跨って電装品箱８が配置されており、この電装品箱８の機器室６側に冷却空気取入口８ａが開口し、熱交換室３の室外送風機５の吸込側に冷却空気排出口８ｂが開口している。また、ケーシング１の機器室６側の側板１０には、機器室６内に外気を取り入れるための外気取入口１０ａが形成されている。
このように構成された室外ユニット５０では、運転時において、室外送風機５の回転により熱交換室３が負圧となり、外気が外気取入口１０ａから機器室６に流入し、冷却空気取入口８ａから電装品箱８内を流通して電装品９を冷却し、冷却空気排気口８ｂから熱交換室３へ流出する。なお、図５において、点線矢印は外気の流れを示している。
【０００３】
【発明が解決しようとする課題】
しかしながら、この室外ユニット５０は、運転時における機器室６内の圧縮機７の機械音や冷媒音等の音が外気取入口１０ａから直接外部に漏れるため、外部への音漏れの低減化が望まれていた。また、雨天などの場合には、外気取入口１０ａから機器室６内に雨水や地面からの泥はね水が侵入し、圧縮機７等の各種装置が収納された機器室６内を汚して装置環境を悪化させたり、外気取入口１０ａから機器室６に入った虫や小動物が電装品箱８内に侵入し、電装品９のショート、機能損壊等の事故を生ずるという問題があった。
【０００４】
そこで、本発明は、上記のような従来技術の問題点を解決するものであって、分離型空気調和機において、室外ユニット内からの音漏れを低減するとともに、室外ユニット内への雨水や小動物などの侵入を防止して電気部品等を保護することを目的とする。
【０００５】
【課題を解決するための手段】
上記のような目的を達成するために、本発明に係る分離型空気調和機は、機器室側から冷却空気を取入れる冷却空気取入口と、内部を流通した冷却空気を熱交換室側に排出する冷却空気排出口とを有する電装品箱を備えた室外ユニットと、この室外ユニットに連絡配管を介して接続される室内ユニットとからなる分離型空気調和機であって、室外ユニットは、機器室の側面の外側近傍に連絡配管用接手と、この接手を覆う接手カバーとを有し、前記機器室の側板は、前記接手カバーで覆われている部分に、電装品箱の前記冷却空気取入口と連通して冷却空気として外気を取入れるための外気取入口を有し、また、前記接手カバー内における外気取入口近傍には、連絡配管用接手と機器室に収納された圧縮機とを接続するガス管が、低温化した表面で周囲空気冷却可能に配置されているものである。
【０００６】
このように構成すれば、外気取入口の外側が接手カバーにて覆われるため、運転時における圧縮機の機械音や冷媒音等の音が外気取入口から直接外部に出ることが防止され、音漏れが低減される。また、雨天などの場合、雨水や地面からの泥はね水等の外気取入口への侵入が接手カバーによって防止されるため、圧縮機等の各種装置が収納された機器室内の装置環境が良好な状態に維持される。また、接手カバーによって虫や小動物の外気取入口への侵入が抑制されるので、機器室内の各種装置や電装品箱内の電装品等が保護され、虫や小動物による電装品のショート、機能損壊等の事故が防止される。さらに、接手カバーによって外気取入口を隠すことにより、室外ユニットのデザイン性向上を図ることができる。また、接手カバー内における外気取入口近傍には、連絡配管用接手と機器室に収納された圧縮機とを接続するガス管が、低温化した表面で周囲空気冷却可能に配置されているので、運転時には、外気取入口及び機器室内を経由して取り入れられる冷却空気がガス管に接触して冷却される。そして、このように冷却されて外気温度より低温となった冷却空気が電装品箱内に流入する。したがって、低温の冷却空気によって、電装品箱内の電装品が冷却され、電装品の冷却効果を向上させることができる。
【０００７】
また、前記外気取入口にフィルタを設けたものとしてもよい。
このように構成すれば、フィルタによって虫や小動物の外気取入口からの侵入を確実に防止することができる。
【０００９】
また、前記接手カバーは連絡配管用接手と連絡配管との接続用サービス開口部を有し、接手カバー内において、連絡配管用接手を前記サービス開口部の近傍に配置し、連絡配管用接手に接続されたガス管の一方側に前記サービス開口部を配置し、連絡配管用接手に接続されたガス管の他方側の側板部分に外気取入口を配置したものとしてもよい。
このように構成すれば、接手カバー内において、サービス開口部と側板の外気取入口との間にガス管が配置されるので、冷房運転時にサービス開口部から接手カバー内部に取入れた外気が確実にガス管の周囲を流通し、低温化したガス管への外気の接触率が増加し、外気（冷却空気）が効率よく低温化される。したがって、効率よく電装品を冷却することができる。
【００１０】
また、本発明に係る分離型空気調和機は、１台の室外ユニットに対し複数台の室内ユニットが接続される多室用分離型空気調和機であってもよい。
このように構成すれば、多室用であるため運転時間の長い（使用頻度の高い）室外ユニットにおいて、音漏れの軽減を図ることができるとともに、虫や小動物による電装品のショート、機能損壊等の事故を防止することができ、高品質な室外ユニットを提供することができる。
【００１１】
【発明の実施の形態】
以下本発明の実施の形態を、図１〜図４を参照して詳細に説明する。図１は本発明の実施の形態に係る分離型空気調和機の室外ユニットの正面側から見た概略構成図であり、図２は同実施の形態の室外ユニットの外気取入口とガス管の位置関係を説明する側断面図であり、図３は同実施の形態の室外ユニットの機器室側の要部の平断面図であり、図４は同実施の形態の室外ユニットの連絡用配管接手を示す要部の背面図である。なお、図１の点線矢印と、図２と図３の実線矢印は、冷却空気（外気）の流れを示している。
なお、図５に示した従来のものと同一の要素には同一の符号を付している。
【００１２】
本実施の形態に係る分離型空気調和機は、室外ユニット１１と、この室外ユニット１１に連絡配管を介して接続される複数台の室内ユニット（図示省略）とからなる。室外ユニット１１は、室外熱交換器４、室外送風機５等を収納する熱交換室３と、熱交換室３の側方に設けた圧縮機７等を収納する機器室６とを備え、熱交換室３から機器室６に跨って熱交換室３及び機器室６の上方に電装品箱８が配置されている。この電装品箱８は、機器室６に開口する冷却空気取入口８ａと、熱交換室３の室外送風機５の吸込側に開口する冷却空気排出口８ｂとが設けられ、機器室６と電装品箱８と熱交換室３とが連通している。
【００１３】
また、この室外ユニット１１は、ケーシング１の機器室６側の側板１２の外面に、後述する連絡配管用接手２０、２１を覆う接手カバー１３が取り付けられている。この接手カバー１３は、後端部に連絡配管用接手２０、２１と図示しない現地配管（室内ユニットと接続する連絡配管）とを接続するためのサービス開口部１３ａを有している。このサービス開口部１３ａは、接手カバー１３内に外気を取入れるための開口としても機能している。
【００１４】
そして、前記側板１２は、この接手カバー１３で覆われている部分に、接手カバー１３内の外気を機器室６内に取入れるための外気取入口１４が形成されている。この外気取入口１４は、例えば幅寸法が６ｍｍ〜７ｍｍの長孔に形成されており、側板１２の前面側に前後２列で上下複数個配置されている。また、側板１２は、複数の外気取入口１４の近傍後方位置に、下端から上部にかけて配管挿通用の切欠１２ａが形成されているが、これについて詳しくは後述する。
【００１５】
また、外気取入口１４の内面側には、１枚のフィルタ１５が着脱可能に側板１２に取り付けられている。このフィルタ１５は、前後２列で上下に複数個配置された外気取入口１４の全体を覆う大きさ、形状に形成されている。
【００１６】
接手カバー１３の内側において、側板１２の上記切欠１２ａよりも後方位置には、左右方向に突出した取付板１６が設けられている。この取付板１６の外端縁と接手カバー１３の内面との間には、略コの字形の隙間部１７が設けられており、接手カバー１３のサービス開口３１ａから流入した外気は、この隙間部１７を通って外気取入口１４側のスペースに流入する。
【００１７】
前記連絡配管用接手２０、２１は、室内ユニットからの２本の連絡配管（現地配管）と接続されるものであり、複数台（この場合４台）の室内ユニットに対応するよう複数対（この場合４対）の接手２０、２１が前記取付板１６に上下複数段で取り付けられている。
【００１８】
また、機器室６内における外気取入口１４の近傍には、圧縮機７の吸込側に接続されるアキュムレータ１８が配置されている。また、接手カバー１３内における外気取入口１４近傍の後方位置には、連絡配管用接手２０と圧縮機７とをアキュムレータ１８を介して接続するガス管２３が配置されている。つまり、連絡配管用接手２０に接続されたガス管２３は、その一方側（後方側）のサービス開口部１３ａと他方側（前方側）の外気取入口１４との間位置に配置される。
【００１９】
このガス管２３は、接手カバー１３の内側に配置された上下方向に延びる主配管２３ａと、この主配管２３ａから分岐して各連絡配管用接手２０に接続される分岐配管２３ｂと、側板１２の切欠１２ａを通って主配管２３ａとアキュムレータ１８とを接続する配管（図示省略）とを有している。なお、各連絡配管用接手２１は、機器室６側から側板１２の切欠１２ａを通って接手カバー１３内に延設された液管２５に接続されている。また、ガス管２３の一部及び液管２５の一部を通した切欠１２ａの孔は、例えば機器室６における配管を被覆する断熱材等によって塞がれ、接手カバー１３内の外気が切欠１２ａから機器室６内に流入しないようにしている。
【００２０】
次に、このように構成された室外ユニット１１の冷房運転時における作用について説明する。冷房運転時においては、室内ユニットから連絡配管及び連絡配管用接手２０を介してガス管２３に低温のガス冷媒が流入し、この低温のガス冷媒がガス管２３からアキュムレータ１８に流入する。これによって、ガス管２３及びアキュムレータ１８の表面温度が低下する。この間、外気が、接手カバー１３のサービス開口部１３ａから内部に流入し、接手カバー１３の内面と取付板１６との間の隙間部１７を通ってガス管２３が収納されたスペースに流入する。そして、外気は、低温化したガス管２３の周囲に流れてガス管表面に接触することにより冷却され、低温化した外気が外気取入口１４からフィルタ１５を抜けて機器室６内に流入する。
【００２１】
機器室６内に流入した外気は、外気取入口１４の近傍に配置された低温化したアキュムレータ１８の表面に接触し、外気温度よりも低温の外気（冷却空気）が電装品箱８の冷却空気取入口８ａから内部に流入する。そして、この低温の冷却空気は、電装品箱８内を流通して電装品９を冷却し、冷却空気排気口８ｂから熱交換室３へ流出する。
【００２２】
このような室外ユニット１１の運転時においては、上述したように、機器室６内に電装品箱８の冷却空気として外気を取入れるための外気取入口１４が、接手カバー１３によって外側を覆われているため、圧縮機７の機械音や冷媒音等の音が外気取入口１４から直接外部へは漏れないので、外部へ漏れる音が小さくなっている。また、外気取入口１４を接手カバー１３によって覆うことで、雨天などで雨水や地面からの泥はね水等が外気取入口１４から機器室６内へ侵入することがなく、圧縮機７やアキュムレータ１８等の各種装置が収納された機器室６内の装置環境が良好な状態に維持される。また、接手カバー１３によって虫や小動物の外気取入口１４への侵入が抑制され、外気取入口１４にフィルタ１５を設けることでこれらの侵入を確実に防止することができるので、機器室６内の各種装置や電装品箱８内の電装品９等が保護され、虫や小動物による電装品９のショート、機能損壊等の事故が防止される。さらに、接手カバー１３によって外気取入口１４を外部から見えなくすることにより、室外ユニット１１が意匠的に優れたものになるというメリットもある。
【００２３】
また、本発明の実施の形態は、接手カバー１３内における外気取入口１４の近傍に、連絡配管用接手２０と圧縮機７とを接続するガス管２３が配置されているので、冷房運転時において、低温の冷媒ガスが流通するガス管２３に接触して冷やされた外気が、外気取入口１４から機器室６を介して冷却空気取入口８ａから電装品箱８内に流入し、電装品９の冷却効果が従来に比して向上する。
【００２４】
また、本発明の実施の形態は、連絡配管用接手２０に接続されたガス管２３の一方側にサービス開口部１３ａを配置し、連絡配管用接手２０に接続されたガス管２３の他方側の側板１２の部分に外気取入口１４を配置したので、外気がサービス開口部１３ａからガス管２３の周囲を通って外気取入口１４に流入する流れとなり、外気のガス管２３への接触率を高めた構造とされている。したがって、電装品箱８内に流入する外気が効率よく低温化され、電装品９の冷却効率が向上する。
【００２５】
また、本発明の実施の形態は、１台の室外ユニット１１に対し複数台の室内ユニットが接続される多室用分離型空気調和機であるため、運転時間の長い（使用頻度の高い）室外ユニット１１において、音漏れの軽減を図ることができるとともに、虫や小動物による電装品のショート、機能損壊等の事故を防止することができる。
【００２６】
なお、本発明は上述の実施の形態に限定されるものではなく、例えば、本実施の形態では、４台の室内ユニットを接続可能な室外ユニット１１の場合を例示したが、接続可能な室内ユニットの台数はこれに限定されるものではなく、２台、３台、又は５台以上の室内ユニットを接続できる室外ユニットであってもよい。また、本実施の形態では多室用分離型空気調和機の場合を例示したが、この室外ユニット１１は、室内ユニット１台のみに対応するいわゆるペア用の分離型空気調和機としても適用することができる。
【００２７】
【発明の効果】
本発明に係る分離型空気調和機の室外ユニットによれば、外気取入口の外側が接手カバーにて覆われるため、運転時における圧縮機の機械音や冷媒音等の外気取入口からの音漏れが低減される。また、雨天などの場合、雨水や地面からの泥はね水等の外気取入口への侵入が接手カバーによって防止されるため、機器室内の装置環境が良好な状態に維持される。また、接手カバーによって虫や小動物の外気取入口への侵入が抑制されるので、機器室内の各種装置や電装品箱内の電装品等が保護され、虫や小動物による電装品のショート、機能損壊等の事故が防止される。さらに、接手カバーによって外気取入口が隠れ、室外ユニットのデザイン性が向上する。
また、本発明に係る多室用の分離型空気調和機によれば、多室用であるため運転時間の長い（使用頻度の高い）室外ユニットにおいて、音漏れの軽減を図ることができるとともに、虫や小動物による電装品のショート、機能損壊等の事故を防止することができ、高品質な室外ユニットを提供することができる。
【図面の簡単な説明】
【図１】本発明の実施の形態に係る分離型空気調和機の室外ユニットの正面側から見た概略構成図である。
【図２】同実施の形態の室外ユニットの外気取入口とガス管の位置関係を説明する側断面図である。
【図３】同実施の形態の室外ユニットの機器室側の要部の平断面図である。
【図４】同実施の形態の室外ユニットの連絡用配管接手を示す要部の背面図である。
【図５】従来の分離型空気調和機の室外ユニットを示す概略構成図である。
【符号の説明】
３     熱交換室
６     機器室
７     圧縮機
８     電装品箱
８ａ   冷却空気取入口
８ｂ   冷却空気排気口
１１   室外ユニット
１２   側板
１３   接手カバー
１４   外気取入口
１５   フィルタ
２０   連絡配管用接手
２３   ガス管
【図１】
0003855821.tif 000002
【図２】
0003855821.tif 000003
【図３】
0003855821.tif 000004
【図４】
0003855821.tif 000005
【図５】
0003855821.tif 000006